(57)【要約】【課題】複数の端子が密に配列されていても、端子の配列方向での電気コネクタの大型化を回避するとともに、隣接する端子同士間で電気信号が互いに干渉しにくく、安定した信号伝送を実現できる電気コネクタ組立体を提供する。【解決手段】一方の電気コネクタの端子２０は、弾性腕部２２が、固定腕部２３Ａよりも上記端子２０の配列方向での幅寸法が小さく形成されており、他方の電気コネクタの端子６０は、固定腕部２３Ａに対応する部分が、弾性腕部２２に対応する部分よりも小さな幅寸法で形成されており、弾性腕部２２側では、一方の電気コネクタの端子２０が他方の電気コネクタの端子６０よりも小さな幅寸法で形成されており、固定腕部２３Ａ側では、他方の電気コネクタの端子６０が一方の電気コネクタの端子２０よりも小さな幅寸法で形成されている。【選択図】図３
2016048613.tif 000002
【特許請求の範囲】
【請求項１】
回路基板上に配される一方の電気コネクタと他の回路基板上に配される他方の電気コネクタとが、回路基板同士の対面方向を嵌合方向として互いに嵌合接続される電気コネクタ組立体であって、
両電気コネクタは、金属帯状片を板厚方向に屈曲して作られた複数の端子と、回路基板の面に対して平行な一方向を配列方向として上記複数の端子を配列保持するハウジングとを有しており、
一方の電気コネクタの端子は、上記板厚方向に弾性変位可能な弾性腕部を一端側にそしてハウジングに固定される固定腕部を他端側に有するＵ字状の受入部が形成されており、上記弾性腕部は、他方の電気コネクタの端子と接触するための接触部を有しており、
他方の電気コネクタの端子は、一方の電気コネクタの端子の受入部内へ嵌入可能な嵌入部を有している電気コネクタ組立体において、
一方の電気コネクタの端子は、上記弾性腕部が、上記固定腕部よりも上記配列方向での幅寸法が小さく形成されており、
他方の電気コネクタの端子は、上記固定腕部に対応する部分が、上記弾性腕部に対応する部分よりも小さな幅寸法で形成されており、
上記弾性腕部側では、一方の電気コネクタの端子が他方の電気コネクタの端子よりも小さな幅寸法で形成されており、
上記固定腕部側では、他方の電気コネクタの端子が一方の電気コネクタの端子よりも小さな幅寸法で形成されていることを特徴とする電気コネクタ組立体。
【請求項２】
一方の電気コネクタの端子は、固定腕部から弾性腕部へ向けて幅寸法が小さくなっており、他方の電気コネクタの端子は、上記弾性腕部に対応する部分から上記固定腕部に対応する部分へ向けて幅寸法が小さくなっていることとする電気コネクタ組立体。
【請求項３】
一方の電気コネクタの端子は、固定腕部にロック部を有し、他方の電気コネクタの端子は、上記固定腕部に対応する部分に、上記ロック部に対して係止可能な被ロック部を有していることとする請求項１又は請求項２に記載の電気コネクタ組立体。
【請求項４】
一方の電気コネクタの端子のロック部は、固定腕部の板面から没した凹部として形成されており、他方の電気コネクタの端子の被ロック部は、上記ロック部内に突入可能な突部あるいは段部として、上記固定腕部に対応する部分の板面に形成されていることとする請求項３に記載の電気コネクタ組立体。
【発明の詳細な説明】
【技術分野】
【０００１】
本発明は、回路基板上に配される一方の電気コネクタと他の回路基板上に配される他方の電気コネクタとが、回路基板同士の対面方向を嵌合方向として互いに嵌合接続される電気コネクタ組立体に関する。
【背景技術】
【０００２】
この種の電気コネクタ組立体として、例えば、特許文献１のような回路基板用電気コネクタとしてのレセプタクルコネクタ及びプラグコネクタが嵌合接続される電気コネクタ組立体が知られている。レセプタクルコネクタには複数のレセプタクル端子が、プラグコネクタには複数のプラグ端子が、それぞれのハウジングによって配列保持されている。レセプタクル端子及びプラグ端子は、それぞれ金属帯状片を板厚方向に屈曲して作られている。
【０００３】
レセプタクル端子は、プラグ端子の後述の嵌入部を受け入れるためのＵ字状の受入部を有している。該受入部は、上下方向で互いに並行して接触腕部及びロック腕部を有している。接触腕部は、受入部の自由端側に形成されていて、板厚方向で弾性変位可能であり、プラグ端子と接触するための接触突部がロック腕部側へ向けて凸湾曲して形成されている。一方、ロック腕部は、ハウジングに固定されており、プラグ端子とのロックのためのロック突部が、該ロック腕部の板面から接触腕部側へ向けて突出して形成されている。上記受入部は、その全長にわたってほぼ同じ幅寸法（端子配列方向での寸法）で形成されているが、接触腕部における上端（自由端）寄り位置の部分が他部よりも若干幅狭になっている。
【０００４】
プラグ端子は、コネクタ嵌合時にてレセプタクル端子の受入部内へ嵌入するＵ字状の嵌入部を有している。該嵌入部は、互いに平行をなし上下方向に延びる対応接触腕部及び被ロック腕部を有している。対応接触腕部は、ハウジングに固定されており、レセプタクル端子の接触突部に接触する接触凹部が、上記対応接触腕部の板面に没して形成されている。また、被ロック腕部は、ハウジングに固定されており、レセプタクル端子のロック突部と係止してロック可能な被ロック凹部が、上記被ロック腕部の板面に没して形成されている。上記嵌入部は、その全長にわたってほぼ同じ幅寸法（端子配列方向での寸法）で形成されており、その幅寸法はレセプタクル端子の受入部の幅寸法よりも若干大きくなっている。
【先行技術文献】
【特許文献】
【０００５】
【特許文献１】特開２００７−０３５２９１
【発明の概要】
【発明が解決しようとする課題】
【０００６】
一般に、複数の端子が一方向に配列保持される電気コネクタにおいては、端子同士間の間隔を小さくして端子を密に配列することにより、端子配列方向での電気コネクタの小型化が図られる。したがって、特許文献１では、互いに隣接し合うレセプタクル端子の受入部同士は、接触腕部の幅狭な部分以外では、そのほぼ全長にわたる範囲で小さい間隔をもって近接する。また、互いに隣接し合うプラグ端子の嵌入部同士は、その全長にわたって、上記受入部同士の間隔よりもさらに小さい間隔で近接する。その結果、電気コネクタ同士が嵌合接続されプラグ端子とレセプタクル端子とで電気信号、特に高速信号が伝送される際、隣接し合うレセプタクル端子同士間そしてプラグ端子同士間では、互いに近接している範囲にて、上記電気信号が互いに干渉し、各端子での信号伝送が不安定となるおそれがある。
【０００７】
本発明は、このような事情に鑑み、複数の端子が密に配列されていても、端子の配列方向での電気コネクタの大型化を回避するとともに、隣接する端子同士間で電気信号が互いに干渉しにくく、安定した信号伝送を実現できる電気コネクタ組立体を提供することを課題とする。
【課題を解決するための手段】
【０００８】
本発明に係る電気コネクタ組立体は、回路基板上に配される一方の電気コネクタと他の回路基板上に配される他方の電気コネクタとが、回路基板同士の対面方向を嵌合方向として互いに嵌合接続される電気コネクタ組立体であって、両電気コネクタは、金属帯状片を板厚方向に屈曲して作られた複数の端子と、回路基板の面に対して平行な一方向を配列方向として上記複数の端子を配列保持するハウジングとを有しており、一方の電気コネクタの端子は、上記板厚方向に弾性変位可能な弾性腕部を一端側にそしてハウジングに固定される固定腕部を他端側に有するＵ字状の受入部が形成されており、上記弾性腕部は、他方の電気コネクタの端子と接触するための接触部を有しており、他方の電気コネクタの端子は、一方の電気コネクタの端子の受入部内へ嵌入可能な嵌入部を有している。
【０００９】
かかる電気コネクタ組立体において、本発明では、一方の電気コネクタの端子は、上記弾性腕部が、上記固定腕部よりも上記配列方向での幅寸法が小さく形成されており、他方の電気コネクタの端子は、上記固定腕部に対応する部分が、上記弾性腕部に対応する部分よりも小さな幅寸法で形成されており、上記弾性腕部側では、一方の電気コネクタの端子が他方の電気コネクタの端子よりも小さな幅寸法で形成されており、上記固定腕部側では、他方の電気コネクタの端子が一方の電気コネクタの端子よりも小さな幅寸法で形成されていることを特徴としている。
【００１０】
本発明では、一方の電気コネクタの端子は、他方の電気コネクタの端子と接触する弾性腕部が、固定腕部よりも配列方向での幅寸法が小さく形成されている。したがって、一方の電気コネクタにおける互いに隣接し合う端子は、弾性腕部同士間の間隔が、固定腕部同士間の間隔よりも大きくなる。このように、弾性腕部同士間に大きい間隔を形成することにより、上記一方の電気コネクタの端子同士間での電気信号の干渉を抑制できる。
【００１１】
また、本発明では、一方の電気コネクタの端子の固定腕部と他方の電気コネクタの端子の上記固定腕部に対応する部分とが接触するような構成として、上記固定腕部と該固定腕部に対応する部分との間でも電気信号を伝送可能とすることにより、端子同士の接触箇所を二箇所に増やして、電気信号伝送の信頼性を向上させることもできる。本発明では、他方の電気コネクタの端子は、固定腕部に対応する部分が、弾性腕部に対応する部分よりも小さな幅寸法で形成されている。したがって、他方の電気コネクタにおける互いに隣接し合う端子は、固定腕部に対応する部分同士間の間隔が、弾性腕部に対応する部分同士間の間隔よりも大きくなる。その結果、上述のように固定腕部と該固定腕部に対応する部分とを接触させる場合であっても、固定腕部に対応する部分同士間に大きい間隔が形成されているので、上記他方の電気コネクタの端子同士間での電気信号の干渉を抑制できる。
【００１２】
さらに、弾性腕部側では、一方の電気コネクタの端子が他方の電気コネクタの端子よりも小さな幅寸法で形成されており、固定腕部側では、他方の電気コネクタの端子が一方の電気コネクタの端子よりも小さな幅寸法で形成されている。これは、隣接端子同士間での電気信号の干渉を抑制すべく、両電気コネクタの端子の幅寸法を、上記弾性腕部側では他方の電気コネクタの端子の幅寸法、そして上記固定腕部側では一方の電気コネクタの端子の幅寸法の範囲内に収められることを意味する。したがって、端子を密に配列しても、一方の電気コネクタの端子における弾性腕部同士間の間隔、そして他方の電気コネクタの端子における上記固定腕部に対応する部分同士間の間隔をそれぞれ大きくすることができる。つまり、電気信号の干渉を抑制するために端子全体での配列間隔を大きくする必要がなく、上記配列方向での両電気コネクタの大型化を回避できる。
【００１３】
本発明において、一方の電気コネクタの端子は、固定腕部から弾性腕部へ向けて幅寸法が小さくなっており、他方の電気コネクタの端子は、上記弾性腕部に対応する部分から上記固定腕部に対応する部分へ向けて幅寸法が小さくなっていてもよい。
【００１４】
このように一方の電気コネクタの端子において固定腕部から弾性腕部へ向けて幅寸法が小さくなっていると、該一方の電気コネクタの端子の幅寸法は、固定腕部において最大となり、固定腕部と弾性腕部との間の部分においても、該固定腕部の幅寸法より大きくなることはない。また、他方の電気コネクタの端子において上記弾性腕部に対応する部分から上記固定腕部に対応する部分へ向けて幅寸法が小さくなっていると、該他方の電気コネクタの端子の幅寸法は、弾性腕部に対応する部分において最大となり、弾性腕部に対応する部分と弾性腕部に対応する部分との間の部分においても、弾性腕部に対応する部分の幅寸法より大きくなることはない。したがって、両電気コネクタの端子の幅寸法が過大となることがなく、両電気コネクタの上記配列方向での大型化を回避できる。
【００１５】
本発明において、一方の電気コネクタの端子は、固定腕部にロック部を有し、他方の電気コネクタの端子は、上記固定腕部に対応する部分に、上記ロック部に対して係止可能な被ロック部を有していてもよい。このようにして、ロック部及び被ロック部を設けて互いに係止させることにより、電気コネクタ同士の不用意な抜けを防止できる。
【００１６】
本発明において、一方の電気コネクタの端子のロック部は、固定腕部の板面から没した凹部として形成されており、他方の電気コネクタの端子の被ロック部は、上記ロック部内に突入可能な突部あるいは段部として、上記固定腕部に対応する部分の板面に形成されていてもよい。
【００１７】
一方の電気コネクタの端子では、固定腕部は大きい幅寸法（端子の配列方向での寸法）で形成されており、他方の電気コネクタの端子では、上記固定腕部に対応する部分は上記固定腕部よりも小さい幅寸法で形成されている。したがって、本発明のように、上記固定腕部に設けられるロック部を凹部とすると、上記固定腕部に対応する部分の被ロック部を凹部とする場合と比べて、凹部の幅寸法を大きくすることができる。この結果、ロック部と被ロック部との係止可能な幅寸法を、上記凹部の幅寸法を最大限として大きく確保できるので、その分、ロック強度を向上させることができる。
【発明の効果】
【００１８】
本発明の電気コネクタ組立体では、一方の電気コネクタの端子は弾性腕部の幅寸法が小さく形成され、他方の電気コネクタの端子は固定腕部に対応する部分の幅寸法が小さく形成されているので、一方の電気コネクタにおいて隣接し合う端子の弾性腕部同士間の間隔そして他方の電気コネクタにおいて隣接し合う端子の固定腕部に対応する部分同士間の間隔が大きく形成される。したがって、上記一方の電気コネクタの端子同士間そして上記他方の端子同士間の電気信号の干渉を抑制できる。また、両コネクタの端子の幅寸法は、上記弾性腕部側では他方の電気コネクタの端子の幅寸法、そして上記固定腕部側では一方の電気コネクタの端子の幅寸法の範囲内に収まるので、端子の配列方向で電気コネクタが大型化することはない。
【図面の簡単な説明】
【００１９】
【図１】本発明の第一実施形態に係るレセプタクルコネクタ及びこれに対して上方から嵌合されるプラグコネクタの斜視図であり、コネクタ嵌合前の状態を示している。
【図２】図１のレセプタクルコネクタ及びプラグコネクタを、ハウジングを省略して示した斜視図である。
【図３】図１のレセプタクルコネクタのレセプタクル端子及びプラグコネクタのプラグ端子を示す斜視図であり、（Ａ）はコネクタ嵌合接続前の状態、（Ｂ）はコネクタ嵌合接続後の状態を示している。
【図４】図１のレセプタクルコネクタのレセプタクルロック金具及びプラグコネクタのプラグロック金具を示す斜視図である。
【図５】（Ａ）は図１のプラグコネクタを上下反転させて示した斜視図であり、（Ｂ）は（Ａ）のプラグコネクタのハウジングを省略して示した斜視図であり、（Ｃ）は（Ａ）のプラグコネクタのプラグロック金具のみを示す斜視図である。
【図６】図１のレセプタクルコネクタ及びプラグコネクタの配列方向での端子の位置における上記配列方向に対して直角な面での断面図であり、（Ａ）はコネクタ嵌合接続前の状態、（Ｂ）はコネクタ嵌合接続後の状態を示している。
【図７】図１のレセプタクルコネクタ及びプラグコネクタの配列方向でのロック金具の位置における上記配列方向に対して直角な面での断面図であり、（Ａ）はコネクタ嵌合接続前の状態、（Ｂ）はコネクタ嵌合接続後の状態を示している。
【図８】第二実施形態に係るレセプタクル端子及びプラグ端子を示す斜視図であり、（Ａ）はコネクタ嵌合接続前の状態、（Ｂ）はコネクタ嵌合接続後の状態を示している。
【００２０】
以下、添付図面にもとづき、本発明の実施形態について説明する。
【００２１】
＜第一実施形態＞
図１は、本発明の第一実施形態に係る一方の電気コネクタとしてのレセプタクルコネクタ１及びこれに対して上方から嵌合される他方の電気コネクタとしてのプラグコネクタ２の斜視図であり、コネクタ嵌合前の状態を示している。本実施形態におけるレセプタクルコネクタ１及びプラグコネクタ２は、それぞれ異なる回路基板（図示せず）の実装面上に配される回路基板用電気コネクタであり、各回路基板同士の対面方向（図１での上下方向）を挿抜方向とするコネクタ組立体を構成している。本実施形態では、レセプタクルコネクタ１に対するプラグコネクタ２の嵌合方向、すなわち図１でプラグコネクタ２を下方へ向けて移動させる方向を「コネクタ嵌合方向」とし、その反対方向、すなわち図１での上方へ向かう方向を「コネクタ抜出方向」として説明する。また、プラグコネクタ２に対する相手コネクタであるレセプタクルコネクタ１の嵌合方向および抜出方向は、それぞれ上述のプラグコネクタ２の「コネクタ嵌合方向」および「コネクタ抜出方向」の反対方向になる。
【００２２】
［レセプタクルコネクタ１の構成］
レセプタクルコネクタ１は、図１に見られるように、略直方体外形をなすハウジング１０と、上記実装面に対して平行をなすハウジング１０の長手方向を配列方向として該ハウジング１０に一体モールド成形により配列保持される複数のレセプタクル信号端子２０（以下、単に「レセプタクル端子２０」という）と、上記配列方向でのハウジング１０のそれぞれの端部に一体モールド成形により保持されるレセプタクルロック金具３０とを有している。
【００２３】
図１に見られるように、レセプタクル端子２０は、上記配列方向でのハウジング１０の中央寄り範囲にて、コネクタ幅方向で対称な二列をなして設けられており、図示の例では、各列に二本ずつ配列されている。また、レセプタクルロック金具３０は、上記配列方向でのレセプタクル端子２０の配列範囲に対して両方の外側位置でハウジング１０の端部に設けられている。レセプタクルコネクタ１は、図１で示される姿勢で、回路基板上に配置実装される。
【００２４】
図１に見られるように、ハウジング１０は、樹脂等の電気絶縁材で作られており、取付対象面である回路基板（図示せず）の実装面に対して平行な底面をもち上記配列方向を長手方向として延びる底壁１１と、底壁１１から起立するとともに上記配列方向に延びる突壁１２と、底壁１１から起立し突壁１２を囲む周壁１３とを有している。該周壁１３は、互いに対向して上記配列方向に延びる二つの側壁１４と、該二つの側壁１４の端部同士を連結し上記配列方向に対して直角なコネクタ幅方向（ハウジング１０の短手方向）に延びる二つの端壁１５とを有している。周壁１３と突壁１２との間で上方に開口した四角環状の空間は、プラグコネクタ２の嵌合部を受け入れるための嵌合凹部１６を形成している。
【００２５】
突壁１２は、上記配列方向でのレセプタクル端子２０に対応する位置に信号端子用溝部１２Ａが、そしてレセプタクルロック金具３０に設けられた後述の電源接触腕部に対応する位置に電源端子用溝部１２Ｂが、突壁１２の側面（コネクタ幅方向に対して直角な面）から没するとともに上下方向に延びて貫通形成されている（電源端子用溝部１２Ｂに関しては図７（Ａ），（Ｂ）をも参照）。図１に見られるように、信号端子用溝部１２Ａは突壁１２の両側の側面に形成され、電源端子用溝部１２Ｂは、突壁１２の片側の側面に形成されている。また、上記配列方向での突壁１２の一端側に設けられた電源端子用溝部１２Ｂと他端側に設けられた電源端子用溝部１２Ｂとは、互いに反対側の側面に形成されている。信号端子用溝部１２Ａはレセプタクル端子２０の後述の信号接触腕部２２を収容し、電源端子用溝部１２Ｂにはレセプタクルロック金具３０の後述の電源接触腕部４３を収容する。
【００２６】
周壁１３の内面（嵌合凹部１６側に位置する面）の上部には、嵌合凹部１６に向かうにつれて下方へ傾斜する案内面１７が形成されている。該案内面１７は、側壁１４の内面に形成された側方案内面１７Ａと、端壁１５の内面に形成された端案内面１７Ｂと、側壁１４と端壁１５との境界部分の内面に形成された隅案内面１７Ｃとを有している。図１に見られるように、側方案内面１７Ａは、側壁１４における上記配列方向での複数位置に間欠的に形成されている。端案内面１７Ｂは、端壁１５のコネクタ幅方向に延びる一つの面として形成されている。隅案内面１７Ｃは、上記配列方向での最外位置の側方案内面１７Ａと上記端案内面１７Ｂとを連結している。
【００２７】
図２は、図１のレセプタクルコネクタ１及びプラグコネクタ２を、ハウジング１０を省略して示した斜視図である。また、図３は、図１のレセプタクルコネクタ１のレセプタクル端子２０及びプラグコネクタ２のプラグ端子６０を示す斜視図であり、（Ａ）はコネクタ嵌合接続前の状態、（Ｂ）はコネクタ嵌合接続後の状態を示している。以下、図１ないし図３、特に図３に基いて、レセプタクル端子２０の構成を説明する。
【００２８】
レセプタクル端子２０は、帯状の金属板条片を板厚方向で屈曲して作られていて、ハウジングの底壁１１に沿ってコネクタ幅方向に延びる基底部２１と、該基底部２１の突壁１２側の端部から上方へ向けて延びる信号接触腕部２２と、基底部２１の側壁１４側の端部で上方へ向けて延びてから下方へ向けて折り返された逆Ｕ字状の被保持部２３と、該被保持部２３の下端からコネクタ幅方向外方へ向けて延びる接続部２４とを有している。
【００２９】
基底部２１は、嵌合凹部１６を含むコネクタ幅方向範囲にわたって延びており、該基底部２１の上面が嵌合凹部１６内に向けて露呈した状態で、底壁１１に一体モールド成形により保持されている（図６（Ａ），（Ｂ）をも参照）。図３（Ａ）に見られるように、基底部２１は、コネクタ幅方向での中間位置で両側縁部に段部２１Ａが形成されており、該段部２１Ａよりも信号接触腕部２２側の部分が小さい幅寸法の幅狭部２１Ｂをなし、上記段部２１Ａよりも被保持部２３側の部分が上記幅狭部２１Ｂより大きい幅寸法の幅広部２１Ｃをなしている。
【００３０】
信号接触腕部２２は、図３（Ａ），（Ｂ）に見られるように、その全長にわたって基底部２１の幅狭部２１Ｂと同じ幅寸法で形成されている。また、該信号接触腕部２２の幅寸法は、被保持部２３（後述する外側腕部２３Ｃの下部を除く）の幅寸法、そして後述のプラグ端子６０に形成された内側腕部６１Ｃの幅寸法よりも小さい。また、このように信号接触腕部２２を小さい幅寸法で形成することにより、該信号接触腕部２２が弾性変位し易くなる。信号接触腕部２２の幅寸法が該信号接触腕部２２の全長にわたって基底部２１の幅狭部２１Ｂの幅寸法と同じであることは必須ではなく、例えば、信号接触腕部２２がその自由端に向かうにつれて徐々に小さくなるように形成されていてもよい。
【００３１】
信号接触腕部２２は、突壁１２の信号端子用溝部１２Ａ内に収容され、その板厚方向（コネクタ幅方向）で弾性変位可能となっている。また、信号接触腕部２２は、その自由端側たる上端側部分が側壁１４の内面に向けて凸湾曲しており、その凸湾曲した部分が後述のプラグコネクタ２のプラグ端子６０と接触するための信号接触突部２２Ａとして形成されている。該信号接触突部２２Ａは、信号接触腕部２２の自由状態にて、信号端子用溝部１２Ａから突出して嵌合凹部１６内に位置している（図６（Ａ）参照）。
【００３２】
被保持部２３は、基底部２１の側壁１４側の端部から該側壁１４の内面に沿って上方へ向けて延びる内側腕部２３Ａと、該内側腕部２３Ａの上端から連続して該内側腕部２３Ａよりもコネクタ幅方向外側位置で下方へ向けて折り返されるように湾曲した移行部２３Ｂと、該移行部２３Ｂを経て下方へ向けて延びる外側腕部２３Ｃとを有しており、側壁１４に一体モールド成形により保持されている。図１に見られるように、該被保持部２３の上端、換言すると移行部２３Ｂの上端は、上下方向にて側方案内面１７Ａの下縁とほぼ同じ高さに位置している。図３（Ａ）に見られるように、被保持部２３は、外側腕部２３Ｃの下部を除き、既述した基底部２１の幅広部２１Ｃと同じ幅寸法、すなわち信号接触腕部２２より大きい幅寸法で形成されている。
【００３３】
被保持部２３の内側腕部２３Ａは、図１に見られるように、嵌合凹部１６内に向けて板面が露呈しており、該板面から没した矩形状のロック部２３Ａ−１が形成されている。該ロック部２３Ａ−１は、例えば、プレス加工等により形成されており、その幅寸法（上記配列方向での寸法）は内側腕部２３Ａの幅寸法より小さくなっている。該ロック部２３Ａ−１は、後述するプラグコネクタ２のプラグ端子６０の被ロック部６１Ａ−１に係止することにより、コネクタ嵌合状態を維持してコネクタ同士の抜けを防止するとともに、該被ロック部６１Ａ−１との係止時に接触して電気的に導通することにより、上記信号接触突部２２Ａを補助する役割も果たす。
【００３４】
本実施形態では、側壁１４に固定される被保持部２３の内側腕部２３Ａは、基底部２１及び弾性変位可能な弾性腕部としての信号接触腕部２２と相俟って、上方へ向けて開口するＵ字状部分を形成しており、該Ｕ字状部分が、後述するプラグ端子６０の嵌入部６１を受け入れるための受入部をなしている。
【００３５】
被保持部２３の移行部２３Ｂは、図１に見られるように、その上面の一部がハウジング１０の側方案内面１７Ａ同士間から露呈している。また、被保持部２３の外側腕部２３Ｃは、ハウジング１０の側壁１４から露呈することなく該側壁１４内に埋設保持されている。該外側腕部２３Ｃは、図３（Ａ），（Ｂ）によく見られるように、下端寄りの中間位置で、下方へ向けて幅寸法（上記配列方向での寸法）が小さくなっている。この結果、外側腕部２３Ｃの下部（上記中間位置よりも下方に位置する部分）は、信号接触腕部２２と同じ幅寸法で形成されている。
【００３６】
接続部２４は、図３（Ａ）に見られるように、信号接触腕部２２と同じ幅寸法で形成され、基底部２１と同じ高さ位置で、外側腕部２３Ｃの下端からコネクタ幅方向外方へ向けて側壁１４の外面とほぼ同位置にまで直状に延びている。該接続部２４は、その底面がハウジング１０の底壁１１から露呈しており（図６（Ａ），（Ｂ）参照）、回路基板の対応信号回路部に半田接続されるようになっている。また、接続部２４の幅寸法が信号接触腕部２２と同じ幅寸法であることは必須ではなく、異なる幅寸法であってもよい。
【００３７】
このような構成のレセプタクル端子２０は、被保持部２３（外側腕部２３Ｃの下部を除く）において幅寸法が最大となっている。本実施形態では、既述したように、レセプタクル端子２０は、プラグ端子６０に接触する信号接触腕部２２が、被保持部２３の内側腕部２３Ａよりも上記配列方向での幅寸法が小さく形成されている。したがって、ハウジング１０に配列されて互いに隣接し合うレセプタクル端子２０は、信号接触腕部２２同士間の間隔が、内側腕部２３Ａ同士間の間隔よりも大きくなる。その結果、隣接する信号接触腕部２２同士が大きい間隔で離れて位置しているので、電気信号が信号接触突部２２Ａと接続部２４との間を流れる際、レセプタクル端子２０同士間での上記電気信号の干渉を抑制できる。
【００３８】
また、本実施形態では、信号接触腕部２２のみならず、基底部２１の幅狭部２１Ｂ、外側腕部２３Ｃの下部そして接続部２４も小さい幅寸法で形成されている。したがって、これらの部分の範囲においても、隣接するレセプタクル端子２０同士間の間隔を大きく形成でき、電気信号の干渉のさらなる抑制が図られている。
【００３９】
次に、図１、図２及び図４に基づいてレセプタクルロック金具３０の構成について説明する。図４は、図１のレセプタクルコネクタ１のレセプタクルロック金具３０及びプラグコネクタ２のプラグロック金具７０を示す斜視図である。本実施形態では、レセプタクルロック金具３０は、ロック金具としての機能のみならず、後述するように電源端子としての機能をも有している。ただし、このレセプタクルロック金具３０に電源端子としての機能を備えることは必須ではない。
【００４０】
レセプタクルロック金具３０は、金属板部材を板厚方向に屈曲して作られており、上方から見て、突壁１２に対応して位置する部分と、二つの側壁１４のそれぞれに対応して位置する部分と、端壁１５に対応して位置する部分と、嵌合凹部１６に対応して位置する部分に大別される。
【００４１】
レセプタクルロック金具３０における、ハウジング１０の突壁１２に対応して位置する部分は、図１に見られるように、突壁１２の起立面としての側面（配列方向に対して平行な面）に沿って延びる側方起立面補強板部３１と、突壁１２の他の起立面としての端面（配列方向に対して直角な面）に沿って延びる端起立面補強板部３２と、突壁１２の頂面（上面）に沿って延びる頂面補強板部３３と、ハウジング１０の底壁１１に沿って延びる後述の延出部４２から突壁１２の電源端子用溝部１２Ｂ内で上方へ向けて延びる電源接触腕部４３とを有している。
【００４２】
頂面補強板部３３は、図１に見られるように、突壁１２の端部の頂面を上方から見たときに、該頂面にて電源端子用溝部１２Ｂの領域を回避して位置するようにＬ字状に延びており、図１及び図２に見られるように、側方起立面補強板部３１及び端起立面補強板部３２の上端同士を連結している。側方起立面補強板部３１、端起立面補強板部３２及び頂面補強板部３３は、それらの板面がそれぞれハウジング１０の突壁１２の側面、端面そして頂面から露呈しており、該突壁１２によって保持されている。本実施形態では、側方起立面補強板部３１、端起立面補強板部３２及び頂面補強板部３３がそれぞれ突壁１２の側面、端面そして頂面を覆っているので、コネクタ挿抜過程にて、突壁１２の側面、端面そして頂面がプラグコネクタとの衝突による損傷を防止できる。ハウジング１０の突壁１２に対応して位置する部分のうち電源接触腕部４３については後述する。
【００４３】
レセプタクルロック金具３０における、ハウジング１０の側壁１４に対応して位置する部分は、該側壁１４の内面に沿って延びるロック板部３５と、該ロック板部３５の上端から下方へ向けて折り返されるように湾曲する移行部３６と、該移行部３６を経て側壁１４の内部を下方へ向けて延びる側方被保持部３７と、該側方被保持部３７の下縁からコネクタ幅方向外方へ向けて延びる側方固定部３８とを有している。ロック板部３５は、ハウジング１０の嵌合凹部１６側に位置する板面が側壁１４の内面から露呈した状態で該側壁１４に保持されており、その露呈した板面から没した矩形状のロック部３５Ａが形成されている。
【００４４】
移行部３６は、上方へ向けて凸湾曲しており、図１に見られるように、その上面の一部がハウジング１０の側方案内面１７Ａ同士間で露呈している。側方被保持部３７は、図２に見られるように、孔部３７Ａが板厚方向に貫通形成されており、図１に見られるハウジング１０との一体モールド成形の際に、該孔部３７Ａ内に樹脂が流れ込むことによりハウジング１０によるレセプタクルロック金具３０の保持をより強固なものとしている。側方被保持部３７は、側壁１４から露呈することなく該側壁１４に埋設保持されている。
【００４５】
側方固定部３８は、図１に見られるように、ハウジング１０の底壁１１から露呈しており、該側方固定部３８の下面で回路基板の対応電源回路部と半田接続されて固定される。該側方固定部３８は、コネクタ幅方向にて側壁１４の外面とほぼ同位置にまで延びている。
【００４６】
レセプタクルロック金具３０における、ハウジング１０の端壁１５に対応して位置する部分は、コネクタ幅方向に延び側方被保持部３７の側縁部（上下方向に延びる縁部）同士を連結する連結部３９と、該連結部３９のコネクタ幅方向での中間位置で該連結部３９から端壁１５の外面に沿って上方へ延びる端被保持部４０と、連結部３９のコネクタ幅方向両端寄り位置でハウジング１０の底壁１１に沿って該連結部３９から配列方向外方へそしてコネクタ幅方向外方へ向けて延びる端固定部４１とを有している。
【００４７】
連結部３９は、ハウジング１０の底壁１１に平行な（上下方向に対して直角な）板面をもちコネクタ幅方向に延びる連結基部３９Ａと、該連結基部３９Ａの両端で屈曲されて上方へ向けて延びる連結端部３９Ｂとを有している。連結基部３９Ａは、ハウジング１０の底壁１１に沿って延びており該底壁１１に保持されている。連結端部３９Ｂは、コネクタ幅方向で側方被保持部３７と同位置に設けられており、側壁１４から露呈することなく該側壁１４に埋設保持されている。本実施形態では、連結部３９によって側方被保持部３７同士が連結されることしたが、これに代えて、例えば、ロック板部３５同士が連結されていてもよい。
【００４８】
端被保持部４０は、連結基部３９Ａの両側の側縁部（コネクタ幅方向に延びる縁部）のうち上記配列方向で外側に位置する側縁部から上方へ向けて延びている。端被保持部４０は、ハウジング１０の端壁１５の外面から板面が露呈しており、該端壁１５によって保持されている。端固定部４１は、端被保持部４０の両側位置で、連結基部３９Ａの上記配列方向外側の側縁部から上記配列方向外方さらにはコネクタ幅方向外方へ向けて延びており、上方から見たときにＬ字状をなしている。端固定部４１は、図１に見られるように、ハウジング１０の底壁１１から露呈しており、該端固定部４１の下面で回路基板の対応部に対して半田接続により固定される。該端固定部４１は、コネクタ幅方向にて側壁１４の外面とほぼ同位置にまで延びている。
【００４９】
レセプタクルロック金具３０における、ハウジング１０の嵌合凹部１６に対応して位置する部分は、側方起立面補強板部３１の下端部と該側方起立面補強板部３１に対向する一方のロック板部３５の下端部を連接する連接底部３４と、電源接触腕部４３の下端部と電源接触腕部４３に対向する他方のロック板部３５の下端部を連接する延出部４２とを有している。連接底部３４及び延出部４２は、底壁１１に沿ってコネクタ幅方向に延びその上面が嵌合凹部１６に露出した状態で該底壁１１に保持されている。
【００５０】
延出部４２は、上記配列方向での突壁１２の電源端子用溝部１２Ｂと同位置にて、ロック板部３５の下縁から突壁１２側へ向けて延出している。図４に見られるように、該延出部４２は、ロック板部３５に連接されている側の端部（以下、「延出基部４２Ａ」という）を除いた部分の幅寸法が小さく形成されている。換言すると、該延出部４２は、延出基部４２Ａが最も幅寸法が大きくなっている。なお、レセプタクルロック金具３０に電源端子としての機能を設けない場合には、延出部４２を省略してもよい。
【００５１】
また、レセプタクルロック金具３０における、ハウジング１０の突壁１２に対応して位置する部分のうち、電源接触腕部４３は、上述の延出部４２に連続して突壁１２の電源端子用溝部１２Ｂ内で上方へ向けて延びている。該電源接触腕部４３は、レセプタクル端子２０の信号接触腕部２２と同列をなして位置し、板厚方向（コネクタ幅方向）で弾性変位して、後述のプラグロック金具７０に設けられた対応電源接触部としての内側板部７３と接圧をもって接触可能となっている（図７（Ｂ）参照）。該電源接触腕部４３は、その自由端側たる上端側部分が側壁１４の内面に向けて凸湾曲して、その凸湾曲した部分が上記内側板部７３と接触するための電源接触突部４３Ａとして形成されている。電源接触腕部４３の電源接触突部４３Ａは、自由状態にて、ハウジング１０の電源端子用溝部１２Ｂから突出して嵌合凹部１６内に位置している（図７（Ａ）参照）。
【００５２】
図２に見られるように、レセプタクルロック金具３０の電源接触腕部４３は、レセプタクル端子２０の信号接触腕部２２と同形状そして同幅寸法で形成されている。また、該電源接触腕部４３の幅寸法は、その全長にわたって、既述した延出部４２（延出基部４２Ａを除く）の幅寸法と等しく、該延出部４２の延出基部４２Ａの幅寸法よりも小さい（図４をも参照）。したがって、該電源接触腕部４３と該電源接触腕部４３に配列方向で隣接する信号接触腕部２２との間には大きい間隔が形成されているので、その分、レセプタクル端子２０とレセプタクルロック金具３０との間における電気信号の干渉を抑制できる。また、このように電源接触腕部４３を小さい幅寸法で形成することにより、該電源接触腕部４３が弾性変位し易くなる。電源接触腕部４３の幅寸法が該電源接触腕部４３の全長にわたって延出部４２（延出基部４２Ａを除く）の幅寸法と同じであることは必須ではなく、例えば、電源接触腕部４３がその自由端に向かうにつれて徐々に小さくなるように形成されていてもよい。なお、レセプタクルロック金具３０に電源端子としての機能を設けない場合には、電源接触腕部４３は省略される。
【００５３】
また、本実施形態では、電源接触腕部４３のみならず、延出部４２も上記延出基部４２Ａを除く範囲にて小さい幅寸法で形成されている。したがって、該延出部４２の上記範囲においても、隣接するレセプタクル端子２０の基底部２１との間に大きい間隔を形成でき、電気信号の干渉のさらなる抑制が図られている。
【００５４】
［プラグコネクタ２の構成］
次に、図１ないし図５（Ａ）〜（Ｃ）に基づいてプラグコネクタ２の構成について説明する。図５（Ａ）は図１のプラグコネクタ２を上下反転させて示した斜視図であり、図５（Ｂ）は図５（Ａ）のプラグコネクタ２のハウジング５０を省略して示した斜視図であり、図５（Ｃ）は図５（Ａ）のプラグコネクタ２のプラグロック金具７０のみを示す斜視図である。
【００５５】
プラグコネクタ２は、レセプタクルコネクタ１の嵌合凹部１６に適合した枠状の嵌合部（図５（Ａ）参照）を有しており、該嵌合部が嵌合凹部１６内に嵌入することにより、コネクタ１，２同士が嵌合接続されるようになっている。プラグコネクタ２は、略直方体外形をなすハウジング５０と、回路基板（図示せず）の実装面に対して平行をなすハウジング５０の長手方向を配列方向として該ハウジング５０に一体モールド成形により配列保持される複数のプラグ信号端子６０（以下、単に「プラグ端子６０」という）及びプラグロック金具７０とを有している。
【００５６】
ハウジング５０は、樹脂等の電気絶縁材で作られており、図１に見られるように取付対象面である回路基板（図示せず）の実装面に対して平行な底面をもち上記配列方向を長手方向として延びる底壁５１と、図１では該底壁５１から下方（図５（Ａ）では上方）へ起立する嵌合部としての周壁５３とを有している。該周壁５３は、図５（Ａ）に見られるように、互いに対向して配列方向に延びる二つの側壁５４と、該二つの側壁５４の端部同士を連結し上記配列方向に対して直角なコネクタ幅方向（ハウジング５０の短手方向）に延びる二つの端壁５５とを有している。周壁５３によって囲まれ図１での下方（図５（Ａ）では上方）に開口した空間は、レセプタクルコネクタ１の突壁１２を受け入れるための嵌合凹部５６（図５（Ａ）参照）を形成している。
【００５７】
プラグ端子６０は、上記配列方向でのハウジング５０の中央寄り範囲にて、コネクタ幅方向で対称な二列をなして設けられており、図示の例では、各列に二本ずつ配列されている。該プラグ端子６０は、帯状の金属板条片を板厚方向に屈曲して作られており、図３（Ａ），（Ｂ）によく見られるように、ハウジング５０の側壁５４に保持されるＵ字状の嵌入部６１と、該嵌入部６１の二つの腕部のうち嵌合凹部５６側に位置する一方の腕部（後述の内側腕部６１Ｃ）の図３（Ａ），（Ｂ）での上端（図５（Ｂ）での下端）から、コネクタ幅方向外方へ向けて延び回路基板の対応信号回路部に接続される接続部６２とを有している。プラグ端子６０は、嵌入部６１で、ハウジング５０との一体モールド成形により保持されている。
【００５８】
嵌入部６１は、コネクタ嵌合状態にて、レセプタクルコネクタ１のレセプタクル端子２０のＵ字状の受入部に設けられた二つの腕部間、すなわち信号接触腕部２２と内側腕部２３Ａとの間に嵌入する部分であり、ハウジング５０の側壁５４を下方（図５（Ａ），（Ｂ）での上方）から跨ぐようにして該側壁５４に埋設されている。該嵌入部６１は、図３（Ａ），（Ｂ）によく見られるように、側壁５４の外面に沿って下方へ延びる外側腕部６１Ａと、該外側腕部６１Ａの下端からコネクタ幅方向内側位置で上方へ向けて折り返されるように湾曲する移行部６１Ｂと、該移行部６１Ｂを経て上方へ向けて延びる内側腕部６１Ｃとを有している（図６（Ａ），（Ｂ）参照）。嵌入部６１のコネクタ幅方向寸法は、レセプタクル端子２０の信号接触突部２２Ａと該信号接触突部２２Ａに対向する内側腕部２３Ａとの間隔よりも若干大きくなっている。
【００５９】
嵌入部６１の外側腕部６１Ａは、図３（Ａ），（Ｂ）に見られるように、レセプタクル端子２０の内側腕部２３Ａと対応するように位置しており、上記嵌入部６１の内側腕部６１Ｃよりも小さい幅寸法で、かつ、レセプタクル端子２０の内側腕部２３Ａよりも小さい幅寸法で形成されている。外側腕部６１Ａは、図１に見られるように、側壁５４の外面から板面が露呈しており、その露呈した板面には、該板面の上部が没して形成された段状をなす被ロック部６１Ａ−１が形成されている。該被ロック部６１Ａは、該外側腕部６１Ａの幅方向（上記配列方向）全域にわたって延びており、コネクタ抜出方向でレセプタクル端子２０のロック部２３Ａ−１と係止するようになっている。
【００６０】
既述したように、レセプタクル端子２０の内側腕部２３Ａとプラグ端子６０の外側腕部６１Ａが互いに対応して位置しており、該外側腕部６１Ａがレセプタクル端子２０の内側腕部２３Ａよりも幅寸法が小さくなっている。そして、本実施形態では、幅寸法が大きいレセプタクル端子２０の内側腕部２３Ａにロック部２３Ａ−１が凹部として形成され、幅寸法が小さいプラグ端子６０の外側腕部６１Ａに被ロック部６１Ａ−１が段部として形成されている。このように、本実施形態では、幅寸法が小さいプラグ端子６０の外側腕部６１Ａにではなく、幅寸法が大きいレセプタクル端子２０の内側腕部２３Ａに凹部としてのロック部２３Ａ−１が設けられているので、その分、該ロック部２３Ａ−１、すなわち凹部の幅寸法を大きくすることができる。この結果、ロック部２３Ａ−１と被ロック部６１Ａ−１との係止可能な幅寸法を、ロック部２３Ａ−１の幅寸法を最大限として大きく確保できるので、その分、ロック強度を向上させることができる。
【００６１】
本実施形態では、プラグ端子６０の外側腕部６１Ａに、該外側腕部６１Ａの全幅にわたって延びる段部としての被ロック部６１Ａ−１を形成することとしたが、係止可能な幅寸法を十分確保できるのであれば、これに代えて、外側腕部６１Ａの幅方向中間部を板面から突出させた突部としての被ロック部を形成してもよい。また、本実施形態では、レセプタクル端子２０の内側腕部２３Ａに凹部としてのロック部２３Ａ−１を形成し、プラグ端子６０の外側腕部６１Ａに段部としての被ロック部６１Ａ−１を形成したが、互いに係止可能な幅寸法を十分確保できるのであれば、これに代えて、レセプタクル端子２０の内側腕部２３Ａに突部あるいは段部としてのロック部を形成し、プラグ端子６０の外側腕部６１Ａに凹部としての被ロック部を形成してもよい。
【００６２】
嵌入部６１の移行部６１Ｂは、図３（Ａ），（Ｂ）に見られるように、コネクタ幅方向に延びており、外側腕部６１Ａの下端から内側腕部６１Ｃの下端へ向けて幅寸法（上記配列方向での寸法）が大きくなっている。該移行部６１Ｂは、図１での下面（図５（Ａ）では上面）が側壁５４から露呈している。
【００６３】
嵌入部６１の内側腕部６１Ｃは、図３（Ａ），（Ｂ）に見られるように、レセプタクル端子２０の信号接触腕部２２に対応して位置しており、上記嵌入部６１の外側腕部６１Ａよりも大きい幅寸法で、かつ、レセプタクル端子２０の信号接触腕部２２よりも大きい幅寸法で形成されている。内側腕部６１Ｃは、図５（Ａ）に見られるように、嵌合凹部５６側の板面が側壁５４の内面で露呈していて、その露呈した板面が、コネクタ嵌合状態にてレセプタクル端子２０の信号接触突部２２Ａと接圧をもって接触する対応信号接触部として形成される。
【００６４】
接続部６２は、図３（Ａ），（Ｂ）に見られるように、嵌入部６１の外側腕部６１Ａと同じ幅寸法で形成されている。該接続部６２は、内側腕部６１Ｃの上端から底壁５１の底面に沿ってコネクタ幅方向外方へ向けて直状に延び、ハウジング５０外へ延出しており（図１，図６（Ａ），（Ｂ）参照）、回路基板の対応信号回路部に半田接続可能となっている。また、接続部６２の幅寸法が嵌入部６１の外側腕部６１Ａと同じ幅寸法であることは必須ではなく、異なる幅寸法であってもよい。
【００６５】
本実施形態では、プラグ端子６０は、外側腕部６１Ａが、内側腕部６１Ｃよりも小さな幅寸法で形成されている。したがって、互いに隣接し合うプラグ端子６０の外側腕部６１Ａ同士間の間隔が、内側腕部６１Ｃ同士間の間隔よりも大きくなる。このように、内側腕部６１Ｃ同士間に大きい間隔を形成することにより、プラグ端子６０同士間での電気信号の干渉を抑制できる。
【００６６】
また、本実施形態では、コネクタ幅方向において、レセプタクル端子２０の信号接触腕部２２側では、該信号接触腕部２２がプラグ端子６０の内側腕部６１Ｃよりも小さい幅寸法で形成されており、レセプタクル端子２０の内側腕部２３Ａ側では、プラグ端子６０の外側腕部６１Ａが上記内側腕部２３Ａよりも小さい幅寸法で形成されている。これは、隣接端子同士間での電気信号の干渉を抑制すべく、既述したようにレセプタクル端子２０同士間そしてプラグ端子６０同士間の間隔を広く確保しても、両コネクタ１，２の端子２０，６０の幅寸法を、信号接触腕部２２側ではプラグ端子６０の幅寸法、そして内側腕部２３Ａ側ではレセプタクル端子２０の幅寸法の範囲内に収めることができることを意味している。したがって、端子２０，６０を密に配列しても、レセプタクル端子２０の信号接触腕部２２同士間の間隔そしてプラグ端子６０の外側腕部６１Ａ同士間の間隔をそれぞれ大きくすることができる。つまり、電気信号の干渉を抑制するために端子２０，６０全体の配列間隔を大きくする必要がなく、上記配列方向での両コネクタ１，２の大型化を回避できる。
【００６７】
プラグロック金具７０は、図２及び図４（Ａ）に見られるように、レセプタクルコネクタ１のレセプタクルロック金具３０に対応して、上記配列方向でのハウジング１０の各端部に一つずつ設けられている。該プラグロック金具７０は、レセプタクルロック金具３０とロックするロック機能に加えて、該レセプタクルロック金具３０の電源接触腕部４３と接触して電気的に導通する電源端子としての機能をも有している。ただし、プラグロック金具７０に電源端子としての機能を備えることは必須ではない。
【００６８】
プラグロック金具７０は、金属板部材を板厚方向に屈曲して作られており、図１及び図２に示されるように、ハウジング５０の側壁５４の外面に沿って延びる外側板部７１と、該外側板部７１の下端からコネクタ幅方向内方へ向けて延びる移行部７２と、該移行部７２を経て側壁５４の内面に沿って上方へ延びる内側板部７３と、該内側板部７３の上端からコネクタ幅方向外方へ延びる側方固定部７４と、コネクタ幅方向に延び二つの内側板部７３同士を連結する連結部７５と、連結部７５の下縁から配列方向内方へ向けて延びる端被保持部７６と、連結部７５の上縁から配列方向外方へ向けて延びる端固定部７７とを有している。
【００６９】
外側板部７１は、図１に見られるように、ハウジング５０の側壁５４の外面で板面が露呈しており、その露呈した板面には、該板面の上部が没して形成された段状をなし該外側板部７１の幅方向（上記配列方向）に延びる被ロック部７１Ａが形成されている。該被ロック部７１Ａは、プラグ端子６０の外側腕部６１Ａの被ロック部６１Ａ−１と同じ高さ位置（上下方向位置）に形成されている。該被ロック部７１Ａは、レセプタクルコネクタ１との嵌合状態にて、コネクタ抜出方向でレセプタクルロック金具３０のロック部３５Ａとロックし合うようになっている。
【００７０】
移行部７２は、ハウジング５０の側壁５４の下面（図５（Ａ）では上面）に沿ってコネクタ幅方向に延びており、該移行部７２の下面（図５（Ａ）では上面）が側壁５４で露呈している（図５（Ａ）参照）。内側板部７３は、側壁５４の内面で板面が露呈している。本実施形態では、プラグロック金具７０に設けられた二つの内側板部７３のうち、レセプタクルロック金具３０の電源接触腕部４３に対応して位置する内側板部７３は、該電源接触腕部４３と接圧をもって接触する対応電源接触部として形成されている。
【００７１】
側方固定部７４は、図２に見られるように内側板部７３の上端（図５（Ａ）ないし（Ｃ）では下端）からコネクタ幅方向外方へ延びて、図１に見られるように、ハウジング５０外へ延出しており、回路基板の対応回路部に半田接続可能となっている。また、該側方固定部７４は、図２に見られるように、上記配列方向で内側板部７３よりも外側位置にまで及んで延びており、これによって、上記対応回路部に対して半田接続可能な実装面積が大きく確保されている。
【００７２】
連結部７５は、図２に見られるように、上記配列方向に対して直角な板面をもちコネクタ幅方向に延びる連結基部７５Ａと、該連結基部７５Ａの両端で屈曲されて上記配列方向内方へ向けて延びる連結端部７５Ｂとを有している。該連結部７５は、端壁５５に保持されており、図１に見られるように、コネクタ幅方向中央域の板面が端壁５５の外面から露呈している。
【００７３】
端被保持部７６は、端壁５５によって保持されており、図５（Ａ）に見られるように、端壁５５の上面（図１の下面）から板面が露呈している。端固定部７７は、図１に見られるように、ハウジング５０の底壁５１から上記配列方向に突出しており、その上面（図５（Ａ）では下面）で回路基板の対応部と半田接続されて固定される。
【００７４】
［コネクタの嵌合動作］
次に、図１、図６及び図７に基づいて、コネクタ１，２の嵌合動作について説明する。図６及び図７は、図１のレセプタクルコネクタ１及びプラグコネクタ２の配列方向での端子２０，６０の位置そしてロック金具３０，７０の位置のそれぞれにおける、上記配列方向に対して直角な面での断面図であり、（Ａ）はコネクタ嵌合接続前の状態、（Ｂ）はコネクタ嵌合接続後の状態を示している。
【００７５】
まず、レセプタクルコネクタ１のレセプタクル端子２０の接続部２４及びレセプタクルロック金具３０の側方固定部３８をそれぞれ回路基板の対応回路部へ半田接続するとともに、レセプタクルロック金具３０の端固定部４１を回路基板の対応部へ半田接続して、レセプタクルコネクタ１を回路基板に実装する。また、プラグコネクタ２のプラグ端子６０の接続部６２及びプラグロック金具７０の側方固定部７４をそれぞれ他の回路基板の対応回路部へ半田接続するとともに、プラグロック金具７０の端固定部７７を上記他の回路基板の対応部へ半田接続して、プラグコネクタ２を上記他の回路基板に実装する。
【００７６】
次に、図１、図６（Ａ）及び図７（Ａ）に見られるように、レセプタクルコネクタ１を嵌合凹部１６が上方へ開口した姿勢とするとともに、プラグコネクタ２を嵌合凹部５６が下方へ開口した姿勢として該レセプタクルコネクタ１の上方位置へもたらす。そして、図１、図６（Ａ）及び図７（Ａ）にて矢印で示されるように、プラグコネクタ２を下方へ移動させ、該プラグコネクタ２の嵌合部をレセプタクルコネクタ１の嵌合凹部１６内へ嵌入させる。
【００７７】
この結果、プラグコネクタ２のプラグ端子６０の嵌入部６１は、レセプタクルコネクタ１のレセプタクル端子２０の受入部内、すなわち信号接触突部２２Ａおよびロック部２３Ａ−１との間を押し拡げて突入する。そして、信号接触腕部２２がコネクタ幅方向で内方へ向けて弾性変位する。さらに、嵌入部６１の突入が進行すると、図６（Ｂ）に見られるように、コネクタ嵌合状態にて、信号接触突部２２Ａが嵌入部６１の内側腕部６１Ｃ（対応信号接触部）と接圧をもって接触するとともに、嵌入部６１の外側腕部６１Ａの被ロック部６１Ａ−１がロック部２３Ａ−１内に突入し、該ロック部２３Ａ−１の上縁に対してコネクタ抜出方向で係止可能に位置する。この結果、コネクタ１，２の端子２０，６０同士が電気的に導通するとともに互いにロックされる。
【００７８】
また、図７（Ｂ）に見られるように、電源接触突部４３Ａが、該電源接触腕部４３に対応して位置するプラグロック金具７０の内側板部７３（対応電源接触部）と接圧をもって接触する。また、コネクタ嵌合状態にて、図７（Ｂ）に見られるように、プラグロック金具７０の被ロック部７１Ａが、レセプタクルロック金具３０のロック部３５Ａ内に突入し、該ロック部３５Ａの上縁に対してコネクタ抜出方向で係止可能に位置する。この結果、ロック金具３０，７０同士が電気的に導通するとともに互いにロックされる。このようにして、コネクタ１，２同士の嵌合接続動作が完了する。
【００７９】
＜第二実施形態＞
本発明におけるコネクタの端子の形状は、第一実施形態で示した形状に限られず、種々の変形が可能である。図８（Ａ），（Ｂ）は、第二実施形態に係るレセプタクル端子２０及びプラグ端子を示す斜視図であり、（Ａ）はコネクタ嵌合接続前の状態、（Ｂ）はコネクタ嵌合接続後の状態を示している。この図８（Ａ），（Ｂ）では、プラグ端子について、第一実施形態のプラグ端子６０の各部と対応する部分に、第一実施形態の符号に「’」を加えた符号を付している。図８（Ａ），（Ｂ）に見られるように、本実施形態では、プラグ端子６０’の接続部６２’が嵌入部６１’の外側腕部６１Ａ’の上端からコネクタ幅方向外方へ向けて延びており、この点で、プラグ端子６０の接続部６２が嵌入部６１の内側腕部６１Ｃから延びる第一実施形態とは異なっている。なお、本実施形態のレセプタクル端子３０は、第一実施形態のレセプタクル端子３０と全く同じ構成である。
【００８０】
第一及び第二実施形態では、レセプタクルコネクタ及びプラグコネクタのそれぞれにおいて、端子はハウジングに一体モールド成形により保持されているが、これに代えて、例えば、ハウジングに保持溝部を設けて該保持溝部内へ端子を圧入することにより該端子を保持することとしてもよい。
【符号の説明】
【００８１】
１  レセプタクルコネクタ（一方のコネクタ）
２  プラグコネクタ（他方のコネクタ）
１０  ハウジング
２０  レセプタクル端子（一方のコネクタの端子）
２２  信号接触腕部（弾性腕部）
２３Ａ  内側腕部（固定腕部）
２３Ａ−１  ロック部
５０  ハウジング
６０，６０’  プラグ端子
６１，６１’  嵌入部
６１Ａ，６１Ａ’  外側腕部（固定腕部に対応する部分）
６１Ａ−１，６１Ａ−１’  被ロック部
６１Ｃ，６１Ｃ’  内側腕部（弾性腕部に対応する部分）
【図１】
2016048613.tif 000003
【図２】
2016048613.tif 000004
【図３】
2016048613.tif 000005
【図４】
2016048613.tif 000006
【図５】
2016048613.tif 000007
【図６】
2016048613.tif 000008
【図７】
2016048613.tif 000009
【図８】
2016048613.tif 000010